(57)【要約】例えば、自動車用エンジンの汚染表面などの基材を脱脂するために使用することができる脱脂組成物が開示される。脱脂組成物は、ビルダー、両性界面活性剤、およびアルコキシル化アセチレンジオールを含む。脱脂組成物の特定の実施形態は非苛性、低ＶＯＣであり、低リン酸塩または無リン酸塩であり得る。【特許請求の範囲】
【請求項１】
（ａ）式（Ｉ）：
【化１】
2006512443.tif 000017
（式中、Ｒ1およびＲ4は独立して３〜１０個の炭素原子を含有するアルキル基であり、Ｒ2およびＲ3は独立してメチルおよびエチルからなる群から選択され、そして（ｘ＋ｙ）＝２〜５０である）、または式（ＩＩ）：
【化２】
2006512443.tif 000018
（式中、ｒおよびｔはそれぞれ独立して１または２であり、（ｎ＋ｍ）＝１〜３０であり、そして（ｐ＋ｑ）＝１〜３０である）の構造を有するアルコキシル化アセチレンジオールと、
（ｂ）ビルダーと、
（ｃ）両性界面活性剤と、
を含み、非苛性および低ＶＯＣである脱脂組成物。
【請求項２】
前記アルコキシル化アセチレンジオールが、式（Ｉ）の構造を有する請求項１に記載の脱脂組成物。
【請求項３】
前記アルコキシル化アセチレンジオールが式（Ｉ）の構造を有し、（ｘ＋ｙ）＝４〜７である請求項２に記載の脱脂組成物。
【請求項４】
前記アルコキシル化アセチレンジオールが、式（ＩＩ）の構造を有する請求項１に記載の脱脂組成物。
【請求項５】
前記アルコキシル化アセチレンジオールが式（ＩＩ）の構造を有し、（ｎ＋ｍ）＝１．３〜１０であり、（ｐ＋ｑ）＝１〜３である請求項１に記載の脱脂組成物。
【請求項６】
前記組成物が、無リン酸塩である請求項１に記載の脱脂組成物。
【請求項７】
前記アルコキシル化アセチレンジオールが、前記組成物の約０．０５ｗｔ％〜約１０ｗｔ％を構成する請求項１に記載の脱脂組成物。
【請求項８】
前記ビルダーが、アルカリ金属のリン酸塩、ケイ酸ナトリウム、四ホウ酸ナトリウム、およびクエン酸ナトリウムからなる群から選択される請求項１に記載の脱脂組成物。
【請求項９】
前記両性界面活性剤が、アミノプロピオナート、イミノプロピオナート、ベタイン、およびスルタインからなる群から選択される請求項１に記載の脱脂組成物。
【請求項１０】
前記両性界面活性剤が、前記組成物の約０．０５ｗｔ％〜約１０ｗｔ％を構成する請求項１に記載の脱脂組成物。
【請求項１１】
前記組成物が、約１０ｗｔ％未満の揮発性有機化合物を含む請求項１に記載の脱脂組成物。
【請求項１２】
（ａ）式（ＩＩ）：
【化３】
2006512443.tif 000019
（式中、ｒおよびｔはそれぞれ独立して１または２であり、（ｎ＋ｍ）＝１〜３０であり、そして（ｐ＋ｑ）＝１〜３０である）の構造を有するアルコキシル化アセチレンジオールと、
（ｂ）ビルダーと、
（ｃ）両性界面活性剤と、
を含み、無リン酸塩および低ＶＯＣである脱脂組成物。
【請求項１３】
前記アルコキシル化アセチレンジオールが式（ＩＩ）の構造を有し、（ｎ＋ｍ）＝１．３〜１０であり、（ｐ＋ｑ）＝１〜３である請求項１２に記載の脱脂組成物。
【請求項１４】
前記アルコキシル化アセチレンジオールが、前記組成物の約０．０５ｗｔ％〜約１０ｗｔ％を構成する請求項１２に記載の脱脂組成物。
【請求項１５】
前記ビルダーが、クエン酸ナトリウムである請求項１２に記載の脱脂組成物。
【発明の詳細な説明】
【技術分野】
【０００１】
本発明は、アルコキシル化アセチレンジオールを含む脱脂組成物に関する。
【背景技術】
【０００２】
車両の外装は、使用中に道路のほこりを蓄積する。季節によって、道路のほこりは、虫、タールまたは塩や、排気微粒子、タイヤ残渣、漏出する車両用流体などを含む。エンジン室内の汚れた油性残渣は同様の汚染物の混合物を含むが、これらは、エンジンからの熱により著しく炭化される。後者に関して、この炭化した油性汚れの除去は、従来のクリーナーではなく脱脂剤を必要とする。
【０００３】
エンジン用脱脂剤は、ＶＯＣ、高苛性媒体、および／またはケイ酸塩に分類され得る１つまたは複数の危険なおよび／または望ましくない成分、例えば、石油ベースのおよび／またはハロゲン化した溶媒を含有することが多い。このような攻撃的な脱脂剤は、車両の外装への損傷を回避するために、注意深く適用されなければならない。
【０００４】
また、エンジン用脱脂剤組成物は、リン酸塩を含有することもある。リン酸塩は有効な金属イオン封鎖剤であり、処理基材からのより有効なクリーナーのすすぎを提供するが、これらは藻類およびその他の植物の成長を促進するので環境に優しくない。したがって、自治体は、流域に入り得るリン酸塩製品の使用を規制または禁止している。
【０００５】
低ＶＯＣ、望ましいアルカリ性レベル、および低リン酸塩濃度の制約内で脱脂の有効性を達成するのは困難であることが分かっている。
【発明の開示】
【発明が解決しようとする課題】
【０００６】
本発明は、例えば、自動車用エンジンの汚染表面などの基材を脱脂するために使用することができる脱脂組成物を提供する。
【課題を解決するための手段】
【０００７】
１つの態様では、本発明は、
（ａ）式（Ｉ）：
【化１】
2006512443.tif 000002
（式中、Ｒ1およびＲ4は独立して３〜１０個の炭素原子を含有するアルキル基であり、好ましくはＲ1およびＲ4は−ＣＨ2ＣＨ2ＣＨ（ＣＨ3）2であり、Ｒ2およびＲ3は独立してメチルおよびエチルからなる群から選択され、そして（ｘ＋ｙ）＝２〜５０、好ましくは３〜１０、より好ましくは４〜７である）、または式（ＩＩ）：
【化２】
2006512443.tif 000003
（式中、ｒおよびｔはそれぞれ独立して１または２であり、（ｎ＋ｍ）＝１〜３０であり、そして（ｐ＋ｑ）＝１〜３０である）のアルコキシル化アセチレンジオールと、
（ｂ）ビルダーと、
（ｃ）両性界面活性剤と、
を含む非苛性および低ＶＯＣの脱脂組成物を提供する。
【０００８】
本明細書における使用では、「低ＶＯＣ」という用語は、本発明の脱脂組成物が約５０重量％未満の揮発性有機化合物（ＶＯＣ）を含むことを意味する。本明細書における使用では、「揮発性有機化合物」または「ＶＯＣ」という用語は、０．１ｍｍＨｇ以上の蒸気圧を有する炭化水素物質を含む。
【０００９】
本明細書における使用では、「非苛性」という用語は、脱脂組成物が、強アルカリ性の物質、例えば水酸化物またはケイ酸塩、特にメタケイ酸塩を含有しないことを意味する。
【００１０】
ビルダーの典型的な例としては、アルカリ金属のリン酸塩、ケイ酸ナトリウム、四ホウ酸ナトリウム、およびクエン酸アントリウムが挙げられる。ビルダーは、通常、組成物の約０．１ｗｔ％〜約１２ｗｔ％の範囲の量で脱脂組成物中に存在する。
【００１１】
両性界面活性剤の典型的な例としては、アミノプロピオナート（ａｍｉｎｏ  ｐｒｏｐｒｉｏｎａｔｅ）、イミノプロピオナート（ｉｍｉｎｏ  ｐｒｏｐｉｏｎａｔｅ）、ベタイン、およびスルタイン（ｓｕｌｔａｉｎｅ）が挙げられる。両性界面活性剤は、通常、組成物の約０．０５ｗｔ％〜約１０ｗｔ％の範囲の量で脱脂組成物中に存在する。
【００１２】
本発明の脱脂組成物のいくつかの実施形態は、低リン酸塩または無リン酸塩である。本明細書における使用では、「低リン酸塩」という用語は、脱脂組成物が、１ｗｔ％未満のリン酸塩含有物質、例えばアルカリ金属リン酸塩を含有することを意味する。本明細書における使用では、「無リン酸塩」という用語は、脱脂組成物が、リン酸塩含有物質、例えばアルカリ金属リン酸塩を含有しないことを意味する。無リン酸塩の脱脂組成物は、通常、例えばクエン酸ナトリウムなどの非リン酸塩系ビルダーを含有する。
【００１３】
もう１つの態様では、本発明は、式（ＩＩ）：
【化３】
2006512443.tif 000004
（式中、ｒおよびｔはそれぞれ独立して１または２であり、（ｎ＋ｍ）＝１〜３０であり、そして（ｐ＋ｑ）＝１〜３０である）のアルコキシル化アセチレンジオールと、
（ｂ）ビルダーと、
（ｃ）両性界面活性剤と、
を含む無リン酸塩、低ＶＯＣの脱脂組成物を提供する。
【００１４】
無リン酸塩の脱脂組成物は、例えば水酸化カリウムまたは水酸化ナトリウムなどの苛性剤を含有してもよい。
【発明を実施するための最良の形態】
【００１５】
本発明の脱脂組成物は、アルコキシル化アセチレンジオール、ビルダー、および両性界面活性剤を含む。本発明の脱脂組成物を構成する成分は、以下に詳細に記載される。
【００１６】
アルコキシル化アセチレンジオール
本発明の組成物は、第３級アセチレンジオールのアルコキシル化付加物、例えば第３級アセチレンジオールのエチレンオキシド付加物、または第３級アセチレンジオールのエチレンオキシド／プロピレンオキシド付加物を含む。
【００１７】
第３級アセチレンジオールのエチレンオキシド付加物は、米国特許第５，６５０，５４３号明細書（メディナ（Ｍｅｄｉｎａ））に記載されており、その開示は参照によって本明細書中に援用される。このような付加物は、一般構造式（Ｉ）を有する。
【化４】
2006512443.tif 000005
式中、Ｒ1およびＲ4は独立して３〜１０個の炭素原子を含有するアルキル基であり、好ましくはＲ1およびＲ4は、−ＣＨ2ＣＨ2ＣＨ（ＣＨ3）2である。Ｒ2およびＲ3は独立してメチルおよびエチルからなる群から選択され、（ｘ＋ｙ）＝２〜５０、好ましくは３〜１０、より好ましくは４〜７である。
【００１８】
市販の第３級アセチレンジオールのエチレンオキシド付加物には、商品名「サーフィノール（ＳＵＲＦＹＮＯＬ）４２０」、「サーフィノール４４０」、「サーフィノール４６５」、および「サーフィノール４８５」で、ペンシルベニア州アレンタウンのエア・プロダクツ（Ａｉｒ  Ｐｒｏｄｕｃｔｓ，Ａｌｌｅｎｔｏｗｎ  ＰＡ）から入手可能なものが含まれる。
【００１９】
アセチレンジオールのエチレンオキシド／プロピレンオキシド付加物は、米国特許第６，３１３，１８２号明細書（ラッシーラ（Ｌａｓｓｉｌａ）ら）に記載されており、その開示は参照によって本明細書中に援用される。このような付加物は、一般構造式（ＩＩ）を有する。
【化５】
2006512443.tif 000006
式中、ｒおよびｔは独立して１または２であり、（ｎ＋ｍ）＝１〜３０であり、そして（ｐ＋ｑ）＝１〜３０である。
【００２０】
エチレンオキシドおよびプロピレンオキシド単位は、鎖に沿ってエチレンオキシドおよびプロピレンオキシドのブロック内に分布してもよいし、あるいはエチレンオキシドおよびプロピレンオキシド単位はランダムに分布してもよい。
【００２１】
好ましいアセチレンジオールのエチレンオキシド／プロピレンオキシド付加物には、ｒ＝ｔ、（ｎ＋ｍ）＝１．３〜１５および（ｐ＋ｑ）＝１〜１０であるものが含まれる。さらに好ましいアセチレンジオールのエチレンオキシド／プロピレンオキシド付加物には、ｒ＝ｔ、（ｎ＋ｍ）＝１．３〜１０および（ｐ＋ｑ）＝１〜３であるものが含まれる。
【００２２】
アセチレンジオールの典型的な例は、商品名「サーフィノール２５０２」で、ペンシルベニア州アレンタウンのエア・プロダクツから市販されている。
【００２３】
式（Ｉ）および（ＩＩ）に示されるタイプのアルコキシル化アセチレンジオールは、一般に、組成物の約０．０５ｗｔ％〜約１０ｗｔ％の範囲、さらに好ましくは約０．０５ｗｔ％〜約０．５ｗｔ％の範囲、最も好ましくは組成物の約０．１０ｗｔ％〜約０．３５ｗｔ％の範囲の量で本発明の組成物中に存在する。本発明の組成物は、水に希釈可能な濃縮組成物で提供されてもよい。希釈可能な組成物で提供される場合、アルコキシル化アセチレンジオールは、一般的には、希釈可能な組成物の約１ｗｔ％〜約１０ｗｔ％、より一般的には約１ｗｔ％〜約６ｗｔ％、最も一般的には約２．５ｗｔ％〜約５ｗｔ％の範囲の量で存在する。
【００２４】
本発明の組成物は、ビルダーを含む。ビルダーは、例えば、軟化剤として、ならびに金属イオン封鎖剤および／または緩衝剤として作用することにより、脱脂組成物の有効性を増大させる物質である。ビルダーの例としては、アルカリ金属のリン酸塩（例えば、トリポリリン酸ナトリウム、トリポリリン酸カリウム、リン酸ナトリウム、リン酸二水素ナトリウムなど）がある。ビルダーのその他の例としては、ケイ酸ナトリウム、四ホウ酸ナトリウム、およびクエン酸ナトリウムが挙げられる。クエン酸ナトリウムなどのビルダーは、低リン酸塩であるかまたは無リン酸塩である脱脂組成物を提供するために選択することができる。ビルダーは、通常、約０．１ｗｔ％〜約１２ｗｔ％の範囲の量で本発明の脱脂組成物中に取り込まれる。エンドユーザーにより希釈可能な濃縮形態で提供される場合、ビルダーは、通常、約３ｗｔ％〜約１０ｗｔ％、より好ましくは約５ｗｔ％〜約８ｗｔ％の範囲の量で存在する。希釈された形では、ビルダーは、通常、約０．１ｗｔ％〜約２．０ｗｔ％、より好ましくは約０．２ｗｔ％〜約１．０ｗｔ％の範囲の量で存在する。ビルダーは、アステリス社（Ａｓｔｅｒｉｓ，ＬＬＣ）（ミズーリ州セントルイス（Ｓｔ．Ｌｏｕｉｓ，ＭＯ））、アルドリッチ・ケミカル社（Ａｌｄｒｉｃｈ  Ｃｈｅｍｉｃａｌ  Ｃｏ．）（ウィスコンシン州ミルウォーキー（Ｍｉｌｗａｕｋｅｅ，ＷＩ））、アッシュランド・ケミカル社（Ａｓｈｌａｎｄ  Ｃｈｅｍｉｃａｌ  Ｃｏ．）（オハイオ州コロンバス（Ｃｏｌｕｍｂｕｓ，ＯＨ））、およびロディア社（Ｒｈｏｄｉａ，Ｉｎｃ．）（ニュージャージー州クランベリー（Ｃｒａｎｂｕｒｙ，ＮＪ））から市販されている。
【００２５】
本発明の組成物は、両性界面活性剤を含む。両性界面活性剤の典型的な例としては、アミノプロピオナート、イミノプロピオナート、ベタイン、スルタインなどが挙げられる。両性界面活性剤は、約０．０５ｗｔ％〜約１０ｗｔ％の範囲の量で組成物中に取り込まれる。エンドユーザーにより希釈可能な濃縮形態で提供される場合、両性界面活性剤は、通常、約２ｗｔ％〜約７ｗｔ％の範囲、より好ましくは約３ｗｔ％〜約６ｗｔ％の範囲の量で含有される。希釈された形では、両性界面活性剤は、通常、約０．１ｗｔ％〜約１．０ｗｔ％、より好ましくは約０．１ｗｔ％〜約０．５ｗｔ％の範囲の量で存在する。両性界面活性剤は、商品名「ミリタイン（ＭＩＲＩＴＡＩＮＥ）ＪＣ−ＨＡ」および「ミリタインＨ２Ｃ−ＨＡ」でニュージャージー州クランベリーのロディア社から市販されている。
【００２６】
本発明の脱脂組成物は低ＶＯＣである。本明細書における使用では、「低ＶＯＣ」という用語は、脱脂組成物が、約５０ｗｔ％未満の揮発性有機化合物（ＶＯＣ）を含むことを意味する。本明細書における使用では、「揮発性有機化合物」または「ＶＯＣ」という用語は、０．１ｍｍＨｇ以上の蒸気圧を有する炭化水素物質を含む。いくつかの実施形態では、脱脂組成物は、約３０ｗｔ％未満のＶＯＣを含み、約１０ｗｔ％未満のＶＯＣを含むこともある。
【００２７】
本発明の脱脂組成物のいくつかの実施形態は非苛性である。本明細書における使用では、「非苛性」という用語は、脱脂組成物が、強アルカリ性の物質、例えば水酸化物またはケイ酸塩、特にメタケイ酸塩を含有しないことを意味する。いくつかの実施形態では、脱脂組成物は、約７〜約１４の範囲、より好ましくは約８〜約１０の範囲、最も好ましくは約８．５〜約１０の範囲のｐＨを有する。
【００２８】
本発明の脱脂組成物のいくつかの実施形態は低リン酸塩であるか、あるいは無リン酸塩である。本明細書における使用では、「低リン酸塩」という用語は、脱脂組成物が、１重量％未満のリン酸塩含有物質、例えばアルカリ金属リン酸塩を含有することを意味する。エンドユーザーにより希釈可能な濃縮形態の脱脂組成物は、より高レベルのリン酸塩を有して提供され得るが、その使用可能な濃度に適切に希釈された場合には、低リン酸塩であり得るということが理解される。本明細書における使用では、「無リン酸塩」という用語は、脱脂組成物が、リン酸塩含有物質、例えばアルカリ金属リン酸塩を含有しないことを意味する。無リン酸塩の脱脂組成物は、通常、クエン酸ナトリウムなどの非リン酸塩のビルダーを含有する。
【００２９】
いくつかの実施形態では、本発明の無リン酸塩の脱脂組成物は、例えば水酸化カリウム、水酸化ナトリウム、水酸化アンモニウム、またはケイ酸ナトリウムなどの苛性剤を含有する。いくつかの実施形態では、苛性剤は、脱脂組成物の約０．２重量％〜約０．５重量％の範囲の量で含有される。脱脂組成物が、エンドユーザーにより希釈可能な濃縮形態で供給される場合、苛性剤は、通常、約３重量％〜６重量％の範囲の量で存在する。苛性剤を含有する無リン酸塩の脱脂組成物のために好ましいアルコキシル化アセチレンジオールは、式（ＩＩ）に示されるアセチレンジオールのエチレンオキシド／プロピレンオキシド付加物である。
【００３０】
本発明の組成物は、任意で、アニオン、カチオンまたは非イオン性界面活性剤を含むことができる。非イオン性界面活性剤の典型的な例としては、例えば、トーマ3・プロダクツ社（Ｔｏｍａｈ3  Ｐｒｏｄｕｃｔｓ，Ｉｎｃ．）（ウィスコンシン州ミルトン（Ｍｉｌｔｏｎ  ＷＩ））から商品名「トマドール（ＴＯＭＡＤＯＬ）」、例えば、「トマドール１−９」で市販されている第１級アルコールエトキシレートシリーズと、ダウ・ケミカル・カンパニー（Ｄｏｗ  Ｃｈｅｍｉｃａｌ  Ｃｏｍｐａｎｙ）（ミシガン州ミッドランド（Ｍｉｄｌａｎｄ  ＭＩ））から商品名「タージトール（ＴＥＲＧＩＴＯＬ）」で市販されている第２級アルコールエトキシレートシリーズと、ダウ・ケミカル社（ミシガン州ミッドランド）から商品名「トリトン（ＴＲＩＴＯＮ）」、例えば「トリトンＸ−１００」で市販されているノニルフェノールエトキシレートシリーズとが挙げられる。アニオン、カチオン、または非イオン性界面活性剤は、通常、組成物の０〜約５ｗｔ％の範囲の量で存在する。
【００３１】
本発明の組成物は、任意で、芳香剤を含むことができる。通常、芳香剤は、組成物の０〜約１ｗｔ％の範囲の量で取り込まれるが、場合によっては、この範囲外の量が適切なこともある。適切な芳香剤は、イリノイ州マンデレインのベル・エア・フラグランシーズ（Ｂｅｌｌ−Ａｉｒｅ  Ｆｒａｇｒａｎｃｅｓ，Ｍｕｎｄｅｌｅｉｎ，ＩＬ）から商品名「フラグランス（ＦＲＡＧＲＡＮＣＥ）＃３８４５８」で市販されている。
【００３２】
本発明の組成物は任意で殺生剤または保存料を含むことができ、例えば、バクテリア、かび、スライム、菌類などの微生物を殺す、またはその成長を阻害することによって、組成物の耐用年数を長くする。殺生剤または保存料は、通常、組成物の０〜０．２ｗｔ％の範囲の量で存在する。
【００３３】
本発明の組成物は、任意で、染料または着色剤を含むことができる。染料または着色剤は、例えば、組成物に視覚的な魅力を追加するため、および／またはエンドユーザーが組成物の濃度を視覚的に評価できるようにするために添加される。適切な染料または着色剤は水溶性であり、望ましい色を提供する。通常、染料または着色剤は、約０．００１〜０．１ｗｔ％の範囲の量で添加されるが、この範囲外の量が適切であることもある。
【００３４】
本発明の組成物は、必要とされる成分を適切な混合容器内で混合することによって調製され得る。好ましくは、まずビルダーが、周囲温度、すなわち約２０℃で溶解される。混合時間は攪拌の速度および組成物の濃度に依存し得るが、通常は１０〜３０分間である。残りの成分は順次溶解され、通常は、添加と添加の間に５〜１０分を必要とする。好ましくは、本発明のエトキシル化またはエトキシル化／プロポキシル化アセチレンジオールは最後に添加され、均一な溶液が得られるまで混合が継続される。
【００３５】
使用中、本発明の組成物は、通常、液体噴霧装置、例えば、ガーデンスプレー、トリガースプレーボトルまたは加圧噴霧洗浄機を用いて汚れた基材に適用される。脱脂組成物を適用させたら、約１分間以上の間、組成物を汚れに作用させる。汚れがひどい基材では、脱脂組成物を多数回適用することが望ましい場合もある。汚れた基材に組成物を作用させたら、次に、加圧した水の流れ、例えばノズルを備えたガーデンホースまたは加圧洗浄機を用いて、基材から脱脂組成物を除去する。
【実施例】
【００３６】
実施例はあくまでも説明のためのものであって、特許請求の範囲を限定することは意図されない。実施例および明細書の残りの部分における全ての部、パーセンテージ、比率などは、他に示されない限りは質量によるものである。他に言及されない限り、実施例で使用される全ての試薬は、ウィスコンシン州ミルウォーキーのアルドリッチ・ケミカル社（Ａｌｄｒｉｃｈ  Ｃｈｅｍｉｃａｌ  Ｃｏ．，Ｍｉｌｗａｕｋｅｅ，ＷＩ）などの一般的な化学薬品供給業者から入手した、または入手可能である、もしくは既知の方法により合成することができる。
【００３７】
以下の略語は、実施例において使用される。
【００３８】
「ＪＣＨＡ」は、ニュージャージー州クランベリーのロディア社から得られる商品名「ミリタイン（ＭＩＲＩＴＡＩＮＥ）ＪＣ−ＨＡ」を有する両性界面活性剤を示す。
【００３９】
「ＨＣＨＡ」は、ロディア社から得られる商品名「ミリタインＨ２Ｃ−ＨＡ」を有する両性界面活性剤を示す。
【００４０】
「Ｓ−６１」は、ペンシルベニア州アレンタウンのエア・プロダクツから得られる商品名「サーフィノール（ＳＵＲＦＹＮＯＬ）６１」を有するアセチレンアルコールを示す。
【００４１】
「Ｓ−１０４」は、エア・プロダクツから得られる商品名「サーフィノール１０４」を有するアセチレンジオールを示す。
【００４２】
「Ｓ−４２０」は、エア・プロダクツから得られる商品名「サーフィノール４２０」を有するアセチレンジオール−エチレンオキシド付加物を示す。
【００４３】
「Ｓ−４４０」は、エア・プロダクツから得られる商品名「サーフィノール４４０」を有するアセチレンジオール−エチレンオキシド付加物を示す。
【００４４】
「Ｓ−４６５」は、エア・プロダクツから得られる商品名「サーフィノール４６５」を有するアセチレンジオール−エチレンオキシド付加物を示す。
【００４５】
「Ｓ−２５０２」は、エア・プロダクツから得られる商品名「サーフィノール２５０２」を有するアセチレンジオール−エチレンオキシド／プロピレンオキシド付加物を示す。
【００４６】
「ＳＣＤ」は、ウィスコンシン州ミルウォーキーのアルドリッチ・ケミカル社から得られるクエン酸ナトリウム二水和物（テクニカルグレード）を示す。
【００４７】
「ＳＴＴＰ」は、アルドリッチ・ケミカル社から得られるトリポリリン酸ナトリウム（テクニカルグレード）を示す。
【００４８】
「Ｔ１−９」は、ウィスコンシン州トーマのトーマ・リザーブ（Ｔｏｍａｈ  Ｒｅｓｅｒｖｅ，Ｔｏｍａｈ，ＷＩ）から得られる商品名「トマドール（ＴＯＭＡＤＯＬ）１−９」を有する第２級アルキルエトキシレート非イオン性界面活性剤を示す。
【００４９】
「ＴＸ−１００」は、ミシガン州ミッドランドのダウ・ケミカル社から得られる商品名「トリトン（ＴＲＩＴＯＮ）Ｘ−１００」を有するノニルフェノールエトキシレート非イオン性界面活性剤を示す。
【００５０】
「Ｆ−３８４５８」は、イリノイ州マンデレインのベル・エア・フラグランシーズから得られる「フラグランス（ＦＲＡＧＲＡＮＣＥ）＃３８４５８」を示す。
【００５１】
試験手順
実施例１１〜１３および比較例Ｇ〜Ｈを除いて、エンジンおよびフロントバンパーの運転席側に、１つの溶液を均一にコーティングされるまで噴霧した。同時に、もう１つの溶液を車両の客席側のエンジンおよびフロントバンパーに均一に適用させた。洗浄前の車両の油脂および汚れの汚染物の相対的な度合いを次のように格付けした。
等級    →    汚染レベル
３      →    極めてひどい汚れ
２      →    ひどい汚れ
１      →    中程度の汚れ
【００５２】
３分間の滞留時間の後、ミネソタ州ローズビルのホット・Ｚ・ディストリビューターズ（Ｈｏｔ  Ｚ  Ｄｉｓｔｒｉｂｕｔｏｒｓ，Ｒｏｓｅｖｉｌｌｅ，ＭＮ）から入手可能な商品名「ＲＨＩＮＯ」を有する加圧洗浄機を用いて、２，５００ｐｓｉ（１７．２ＭＰａ）の圧力で２分間、エンジン全体およびバンパー全体を十分にすすいだ。車両を乾燥させ、以下のスケールに基づいて、除去された汚れ／油脂の量を視覚的に評価した。
等級    →    汚れ／油脂の除去量
６      →    １００％
５      →    ９０−９５％
４      →    ８０−９０％
３      →    ６０−８０％
２      →    ３５−６０％
１      →    １０−３５％
０      →    １０％未満
【００５３】
実施例１〜５＆比較例Ａ〜Ｅ
７０°Ｆ（２１℃）の温度で、表１に記載される成分を順次溶解させて水溶液を調製した。
【００５４】
【表１】
2006512443.tif 000007
【００５５】
以下の車両を洗浄し、上記の通りに評価した。結果は表２に記載される。
【００５６】
【表２】
2006512443.tif 000008
【００５７】
実施例６〜１４＆比較例Ｆ
実施例１〜５に概説した条件に従って、表３に記載される成分を順次溶解させて水溶液を調製した。
【００５８】
【表３】
2006512443.tif 000009
【００５９】
以下の車両を洗浄し、上記の通りに評価した。結果は表４に記載される。
【００６０】
【表４】
2006512443.tif 000010
【００６１】
実施例１５〜１６＆比較例Ｇ
実施例１〜５に概説した条件に従って、表５に記載される成分を順次溶解させて水溶液を調製した。
【００６２】
【表５】
2006512443.tif 000011
【００６３】
シボレー・ユーコン（Ｃｈｅｖｅｒｏｌｅｔ  Ｙｕｋｏｎ）（１６０，０００キロメートル）のエンジンの同等に汚れた（汚染等級＝２）別個の領域に、各溶液を適用させた。溶液に３分間の滞留時間を与え、その後、上記の手順に従って試験領域をパワー洗浄した。結果は、表６に記載される。
【００６４】
【表６】
2006512443.tif 000012
【００６５】
実施例１７＆比較例Ｈ
実施例１〜５に概説した条件に従って、表７に記載される成分を順次溶解させて水溶液を調製した。
【００６６】
【表７】
2006512443.tif 000013
【００６７】
２５部の脱イオン水に対して１部で各溶液を希釈した。シボレー・ユーコンの先の試験に続いて、実施例１７を同じエンジンの運転席側に適用させた。エンジンの客席側に比較例Ｈを適用させた。溶液に３分間の滞留時間を与え、その後、上記の手順に従って試験領域をパワー洗浄した。結果は、表８に記載される。
【００６８】
【表８】
2006512443.tif 000014
【００６９】
実施例１８〜１９
実施例１〜５に概説した条件に従って、表９に記載される成分を順次溶解させて水溶液を調製した。
【００７０】
【表９】
2006512443.tif 000015
【００７１】
トヨタ・セリカ（Ｔｏｙｏｔａ  Ｃｅｌｉｃａ）エンジン（キロメートル＝１６０，０００、汚染等級＝２）の運転席側に実施例１８を適用させた。エンジンの客席側に実施例１９を適用させた。溶液に３分間の滞留時間を与え、その後、上記の手順に従って試験領域をパワー洗浄した。結果は、表１０に記載される。
【００７２】
【表１０】
2006512443.tif 000016
【国際調査報告】
2006512443.tif 000020
2006512443.tif 000021